(57)【特許請求の範囲】
【請求項１】
次亜塩素酸ナトリウムと酸と希釈水とを含む次亜塩素酸ナトリウム希釈水溶液を生成し注入する次亜塩素酸ナトリウム希釈水溶液の生成注入方法において、
計装機器は、前記次亜塩素酸ナトリウム希釈水溶液が注入される前又は注入された後の処理対象水を消毒又は酸化するのに必要な単位時間あたりの前記次亜塩素酸ナトリウムの所定注入量を制御装置が算出できる前記処理対象水の流量・水質についての計測項目を計測し、
前記制御装置は、前記処理対象水を計測した前記計装機器からの前記計測項目の計測値を受信し、前記計測値を基に前記処理対象水に注入する前記次亜塩素酸ナトリウムの単位時間当たりの所定注入量を算出し、算出された前記次亜塩素酸ナトリウムの前記所定注入量及び前記次亜塩素酸ナトリウムに含有されているアルカリ成分を基に、前記次亜塩素酸ナトリウム希釈水溶液中にスケール生成が抑制されるレベルである所定のランゲリア指数に調整するために必要とされる前記酸の単位時間当たりの算出必要量を算出し、
前記算出必要量の前記酸を事前に設定されている単位時間当たりの設定量の前記希釈水に注入混合し、前記酸が注入混合された前記希釈水に前記所定注入量の前記次亜塩素酸ナトリウムを注入混合して前記次亜塩素酸ナトリウム希釈水溶液を生成し、
生成された前記次亜塩素酸ナトリウム希釈水溶液を前記処理対象水に注入することを特徴とする次亜塩素酸ナトリウム希釈水溶液の生成注入方法。
【請求項２】
前記所定のランゲリア指数は、ランゲリア指数が指数２．２以下であることを特徴とする請求項１に記載の次亜塩素酸ナトリウム希釈水溶液の生成注入方法。
【請求項３】
前記酸は、硫酸、塩酸、炭酸の内のいずれかであることを特徴とする請求項１又は２に記載の次亜塩素酸ナトリウム希釈水溶液の生成注入方法。
【発明の詳細な説明】
【技術分野】
【０００１】
次亜塩素酸ナトリウムと酸と希釈水とを含んで生成する次亜塩素酸ナトリウム希釈水溶液を処理対象水に注入する次亜塩素酸ナトリウム希釈水溶液の生成注入方法に関する。
【背景技術】
【０００２】
処理対象水に消毒又は酸化のため次亜塩素酸ナトリウムを原液で注入すると、次亜塩素酸ナトリウムの自己分解により生成する酸素ガスが注入配管の特に継手部分でエアーロックし、注入量低下や無注入等の注入障害が発生する不具合があった。また、処理対象水に次亜塩素酸ナトリウムを原液で注入すると、処理対象水量に対して次亜塩素酸ナトリウム量が非常に少ないため、処理対象水に注入したとき混合不良が発生する不具合があった。
【０００３】
上述の不具合を防止する方法として、次亜塩素酸ナトリウムを浄水等の希釈水で希釈し生成された次亜塩素酸ナトリウム希釈水溶液を処理対象水に注入する方法がある。図４は、貯蔵槽１０１からの流量が注入制御装置１０５で制御されて流入した原液の次亜塩素酸ナトリウムと希釈水とをインゼクタ１０３で減圧混合することで次亜塩素酸ナトリウムを希釈し、生成された次亜塩素酸ナトリウム希釈水溶液を処理対象水に注入する生成注入方法を示している。また、図５は、希釈水が搬送されている希釈水搬送管１０４に、貯蔵槽１０１より注入ポンプ１０２で搬送された原液の次亜塩素酸ナトリウムを注入して次亜塩素酸ナトリウムを希釈し、生成された次亜塩素酸ナトリウム希釈水溶液を処理対象水に注入する生成注入方法を示している。
【０００４】
上述の次亜塩素酸ナトリウム希釈水溶液の生成注入方法は、いずれの方法でも希釈水中の硬度成分（カルシウム、マグネシウム）と次亜塩素酸ナトリウム中のアルカリ成分が反応し、下記式に示すカルシウムスケール（炭酸カルシウム）及びマグネシウムスケール（炭酸マグネシウム）が次亜塩素酸ナトリウム希釈水溶液中に生成されてインゼクタ及び配管の内面に付着し、インゼクタ及び配管の狭窄・閉塞等による注入障害が発生する不具合があった。
Ｃａ（ＨＣＯ３）２（硬度成分）＋２ＮａＯＨ（次亜塩素酸ナトリウム中のアルカリ成分）→ＣａＣＯ３（カルシウムスケール）＋Ｎａ２ＣＯ３＋２Ｈ２Ｏ
Ｍｇ（ＨＣＯ３）２（硬度成分）＋２ＮａＯＨ（次亜塩素酸ナトリウム中のアルカリ成分）→ＭｇＣＯ３（マグネシウムスケール）＋Ｎａ２ＣＯ３＋２Ｈ２Ｏ
【０００５】
次亜塩素酸ナトリウム希釈水溶液中にスケール生成が抑制される方法として、次亜塩素酸ナトリウムに対し希釈水の水量を非常に多くし希釈倍率を上げることが一般に行われている。図６に示す通り、スケール析出率を５％以下にするためには、次亜塩素酸ナトリウム注入量に対し２００倍以上の希釈水が必要となるため、希釈水供給設備が大掛かりとなり設備費及び維持管理費が増大するとの不具合があった。
【０００６】
別の次亜塩素酸ナトリウム希釈水溶液中にスケール生成が抑制される方法として、図７に示すとおり、イオン交換樹脂を用いた軟水化装置１１０で、希釈水よりスケールの主要成分となる硬度成分を除去した軟水を希釈水搬送管１０４に流通させ、そこに貯蔵槽１０１より注入ポンプ１０２で搬送された原液の次亜塩素酸ナトリウムを注入して希釈し、生成された次亜塩素酸ナトリウム希釈水溶液を処理対象水に注入する生成注入方法がある。スケール生成は大きく抑制されるが、軟水化装置１１０に使用されているイオン交換樹脂は、樹脂再生装置１１１において頻繁に飽和食塩水を用いて再生を行う必要があり、軟水化装置１１０、樹脂再生装置１１１等の設備費の増大及びそれらの設備について煩雑な維持管理を行う為の維持管理費の増大という不具合があった。
【０００７】
また、下記特許文献１には、酸と次亜塩素酸ナトリウムを希釈水で希釈して生成された次亜塩素酸ナトリウム希釈水溶液において、次亜塩素酸ナトリウム希釈水溶液中に殺菌力が高い次亜塩素酸を高濃度に含有させるため、ｐＨ計測手段で計測した次亜塩素酸ナトリウム希釈水溶液のｐＨ値に基づき次亜塩素酸ナトリウムと酸の供給量を制御し、次亜塩素酸ナトリウム希釈水溶液のｐＨ値をｐＨ５付近に調製することが提案されている。次亜塩素酸ナトリウム希釈水溶液のｐＨ値をｐＨ７以下とすることでスケール生成は抑制されるが、ｐＨ計測手段等の計測機器を用いるので設備費や維持管理費が増大するとの不具合があった。更に、アルカリ溶液である次亜塩素酸ナトリウムに酸を混合して生成された次亜塩素酸ナトリウム希釈水溶液のｐＨ値をｐＨ５付近にするには酸の使用量が多くなり、またｐＨ５付近とすることで危険な塩素ガスが発生する不具合もあった。
【０００８】
更に、下記特許文献２には、カルシウムスケールの生成度合いを示すランゲリア指数は、指数０よりプラス値の場合にスケール生成の可能性が大きくなることを利用し、ｐＨ計測手段にて計測した酸が混合されている次亜塩素酸ナトリウム希釈水溶液のｐＨ値からランゲリア指数を算出し、算出されたランゲリア指数がプラス値である場合に軟水化装置を用いて次亜塩素酸ナトリウム希釈水溶液を軟水化し、又は次亜塩素酸ナトリウム希釈水溶液にスケール分散剤を注入し、スケール生成を抑制することが提案されている。しかし、次亜塩素酸ナトリウム希釈水溶液のｐＨ値を計測するための計測機器及び希釈水を軟水化するための軟水化装置等が必要となるので設備費や維持管理費が増大し、又はスケール分散剤を注入するので飲料水として不適切な薬品が混入することになる等の不具合があった。
【先行技術文献】
【特許文献】
【０００９】
【特許文献１】特開２０１０−１６２４７６
【特許文献２】特開２００８−１４９２２６
【発明の概要】
【発明が解決しようとする課題】
【００１０】
本発明は上述の不具合点を解決するためになされたものであって、その目的とするとこは、スケール生成を抑制するための酸が混合されて生成された次亜塩素酸ナトリウム希釈水溶液を処理対象水に消毒又は酸化のため注入する次亜塩素酸ナトリウム希釈水溶液の生成注入方法において、処理対象水に注入する次亜塩素酸ナトリウム希釈水溶液中に混合される酸の必要量を実測値に基づくことなく簡易な方法で算出できる次亜塩素酸ナトリウム希釈水溶液の生成注入方法を提供することである。
【００１１】
別の目的は、希釈水の水量及び水質を考慮することなく次亜塩素酸ナトリウム希釈水溶液を生成することができる次亜塩素酸ナトリウム希釈水溶液の生成注入方法を提供することである。
【課題を解決するための手段】
【００１２】
上記目的を達成するため、本発明に係る次亜塩素酸ナトリウム希釈水溶液の生成注入方法は、次亜塩素酸ナトリウムと酸と希釈水とを含む次亜塩素酸ナトリウム希釈水溶液を生成し注入する次亜塩素酸ナトリウム希釈水溶液の生成注入方法において、計装機器は、前記次亜塩素酸ナトリウム希釈水溶液が注入される前又は注入された後の処理対象水を消毒又は酸化するのに必要な単位時間あたりの前記次亜塩素酸ナトリウムの所定注入量を制御装置が算出できる前記処理対象水の流量・水質についての計測項目を計測し、前記制御装置は、前記処理対象水を計測した前記計装機器からの前記計測項目の計測値を受信し、前記計測値を基に前記処理対象水に注入する前記次亜塩素酸ナトリウムの単位時間当たりの所定注入量を算出し、算出された前記次亜塩素酸ナトリウムの前記所定注入量及び前記次亜塩素酸ナトリウムに含有されているアルカリ成分を基に、前記次亜塩素酸ナトリウム希釈水溶液中にスケール生成が抑制されるレベルである所定のランゲリア指数に調整するために必要とされる前記酸の単位時間当たりの算出必要量を算出し、前記算出必要量の前記酸を事前に設定されている単位時間当たりの設定量の前記希釈水に注入混合し、前記酸が注入混合された前記希釈水に前記所定注入量の前記次亜塩素酸ナトリウムを注入混合して前記次亜塩素酸ナトリウム希釈水溶液を生成し、生成された前記次亜塩素酸ナトリウム希釈水溶液を前記処理対象水に注入することを特徴とするものである。
【００１３】
また、本発明の請求項２に係る次亜塩素酸ナトリウム希釈水溶液の生成注入方法は、請求項１に記載の次亜塩素酸ナトリウム希釈水溶液の生成注入方法において、前記所定のランゲリア指数は、ランゲリア指数が指数２．２以下であることを特徴とするものである。
【００１４】
また、本発明の請求項３に係る次亜塩素酸ナトリウム希釈水溶液の生成注入方法は、請求項１又は２に記載の次亜塩素酸ナトリウム希釈水溶液の生成注入方法において、前記酸は、硫酸、塩酸、炭酸の内のいずれかであることを特徴とするものである。
【発明の効果】
【００１５】
上記構成を備えた本発明の次亜塩素酸ナトリウム希釈水溶液の生成注入方法によれば、スケール生成が抑制される酸の必要量は、制御装置が、前記処理対象水を計測する計装機器からの計測値を受信し、前記計測値を基に前記処理対象水を消毒又は酸化するため必要とされる次亜塩素酸ナトリウムの単位時間当たりの所定注入量を算出し、次亜塩素酸ナトリウムの前記所定注入量及び前記次亜塩素酸ナトリウムに含有されているアルカリ成分を基に次亜塩素酸ナトリウム希釈水溶液を所定のｐＨ値若しくはランゲリア指数に調整するために必要とされる前記酸の単位時間当たりの算出必要量を算出するので、酸の過剰注入を防止することができると共に、次亜塩素酸ナトリウム希釈水溶液のｐＨ値が著しく低下するのを防止し、危険な塩素ガスの発生を防止することができると共に、酸の使用量の削減を図ることができる。
【００１６】
上記構成を備えた本発明の次亜塩素酸ナトリウム希釈水溶液の生成注入方法によれば、スケール生成が抑制される酸の必要量は、制御装置が、前記処理対象水を計測する計装機器からの計測値を受信し、前記計測値を基に前記処理対象水を消毒又は酸化するため必要とされる次亜塩素酸ナトリウムの単位時間当たりの所定注入量を算出し、次亜塩素酸ナトリウムの前記所定注入量及び前記次亜塩素酸ナトリウムに含有されているアルカリ成分を基に次亜塩素酸ナトリウム希釈水溶液を所定のｐＨ値若しくはランゲリア指数に調整するために必要とされる前記酸の単位時間当たりの算出必要量を算出するので、次亜塩素酸ナトリウム希釈水溶液のｐＨ値を計測するｐＨ計や電気伝導率計等の水質計器が不要となり、設備建設費を低減することがきると共に、次亜塩素酸ナトリウム希釈水溶液のｐＨ値を計測する水質計器の校正等の維持管理が不要となり維持管理費を低減することができる。
【００１７】
更に、制御装置が算出した所定注入量の次亜塩素酸ナトリウムと算出必要量の酸とを事前に設定されている単位時間当たりの設定量の希釈水で希釈するので、次亜塩素酸ナトリウムの単位時間当たりの所定注入量が変動しても希釈水は事前に設定されている単位時間当たりの設定量を変更しないときは一定であるので、生成作業を簡素化することができる。また大量の希釈水で希釈しないので希釈水量を削減することができ、希釈水供給設備を小型とすることができる。更に、希釈水中のアルカリ成分に比べて次亜塩素酸ナトリウム中のアルカリ成分の占める割合が遥かに大きいので、希釈水の水質が硬水であるか軟水であるかを考慮する必要がなく、軟水化装置を不要とすることができる。
【００１８】
更に、次亜塩素酸ナトリウム希釈水溶液中でスケール生成が抑制される所定のｐＨ値をｐＨ９．６以下とし、若しくはランゲリア指数を指数２．２以下としているので、酸の算出必要量をより一層減少することができると共に、ｐＨ７以上とすることで危険な塩素ガスの発生を未然に防止することができる。
【００１９】
更に、注入する酸は、硫酸、塩酸、炭酸の内のいずれかを用いることができるので、コストや水質、用途によって使用する酸を任意に選定することができる。
【図面の簡単な説明】
【００２０】
【図１】本発明に係る次亜塩素酸ナトリウム希釈水溶液の生成注入方法の概略説明図
【図２】スケール析出率とｐＨ値又はランゲリア指数との関係を示すグラフ
【図３】別の本発明に係る次亜塩素酸ナトリウム希釈水溶液の生成注入方法の概略説明図
【図４】従来１の次亜塩素酸ナトリウム希釈水溶液の生成注入方法の概略説明図
【図５】従来２の次亜塩素酸ナトリウム希釈水溶液の生成注入方法の概略説明図
【図６】スケール析出率と次亜塩素酸ナトリウム希釈倍率との関係を示すグラフ
【図７】従来３の次亜塩素酸ナトリウム希釈水溶液の生成注入方法の概略説明図
【発明を実施するための形態】
【００２１】
以下に図面を参照して、この発明に係る次亜塩素酸ナトリウム希釈水溶液の生成注入方法について、例示して説明する。
【００２２】
実施例１
図１は、本発明１に係る次亜塩素酸ナトリウム希釈水溶液の生成注入方法を示す概略説明図である。
【００２３】
図中、１０は原液である次亜塩素酸ナトリウムを貯蔵する次亜塩素酸ナトリウム貯蔵槽である。原液の次亜塩素酸ナトリウムは、注入ポンプ１２により次亜塩素酸ナトリウム貯蔵槽１０から次亜塩素酸ナトリウム搬送管１１を経由し、注入点２１で後述する希釈水搬送管２０に流入して混合される。次亜塩素酸ナトリウムの注入量は、処理対象水を消毒又は酸化するために必要とされる単位時間当たりの所定注入量であり、処理対象水の水質の変化に対応して後述する計装機器５０にて計測された計測値を基に後述する制御装置４０により算出される。
【００２４】
希釈水搬送管２０には、酸の混合された浄水等の希釈水が事前に設定されている単位時間当たりの設定量で均等に常時流通している。希釈水の水質は、硬水であっても、軟水であっても良い。希釈水の単位時間あたりの設定量は、希釈する次亜塩素酸ナトリウムを水処理施設に注入する場合に混合不良にならない水量とし、水処理施設の大きさ、使用できる水量等を考慮して制御装置４０で事前に設定される。
【００２５】
３０は、酸を貯蔵する酸貯蔵槽である。酸は、酸注入ポンプ３２により酸貯蔵槽３０から酸搬送管３１を経由し、注入点２２で均等に常時流通している希釈水に流入して混合される。酸の注入量は、次亜塩素酸ナトリウム希釈水溶液内にスケールを発生させないために必要とされる単位時間あたりの算出必要量であり、制御装置４０により算出される。酸の種類としては、処理対象水の水質等を考慮し、硫酸・塩酸・炭酸の内のいずれかが選択される
【００２６】
制御装置４０は、処理対象水を計測した計装機器５０の計測値を一定間隔で受信し、その計測値を基に処理対象水を消毒又は酸化するのに必要な次亜塩素酸ナトリウムの単位時間あたりの所定注入量を算出する。更に、制御装置４０は、算出された単位時間当たりの次亜塩素酸ナトリウムの所定注入量と、その次亜塩素酸ナトリウムに含有されている既知のアルカリ成分とを基に、単位時間当たりの設定量の希釈水で希釈したとき、次亜塩素酸ナトリウム希釈水溶液中にスケール生成が抑制されるレベルである次亜塩素酸ナトリウム希釈水溶液のｐＨ値がｐＨ９．６以下となるように、若しくはランゲリア指数が指数２．２以下となるように、単位時間当たり注入する酸の算出必要量を算出する。
【００２７】
５０は、処理対象水を計測する計装機器である。計装機器５０にて計測する処理対象水は、次亜塩素酸ナトリウム希釈水溶液が注入される前の処理対象水と、次亜塩素酸ナトリウム希釈水溶液が注入された後の処理対象水の２種類がある。従って、計装機器５０は、夫々の異なる水質の処理対象水毎に応じて、いずれか一方の処理対象水に設置され、又は２種類の処理対象水の両方に設置される場合がある。計装機器５０にて計測される具体的な計測項目は、夫々の異なる水質の処理対象水毎に個別に決定される。
【００２８】
一例を以下に説明する。制御装置４０は、計装機器５０にて計測された処理対象水の計測値を受信する。制御装置４０は、受信した計測値を基に処理対象水を消毒又は酸化するのに必要な次亜塩素酸ナトリウムの単位時間あたりの所定注入量を算出すると共に、算出された単位時間当たりの次亜塩素酸ナトリウムの所定注入量と、その次亜塩素酸ナトリウムに含有されている既知のアルカリ成分とを基に、単位時間当たりの設定量の希釈水で希釈したとき、次亜塩素酸ナトリウム希釈溶液中にスケール生成が抑制されるレベルである次亜塩素酸ナトリウム希釈溶液のｐＨ値がｐＨ９．６以下となるように、若しくはランゲリア指数が指数２．２以下となるように、単位時間当たり注入する酸の算出必要量を算出する。制御装置４０により算出された単位時間当たり算出必要量の酸が、事前に設定されている単位時間当たりの設定量で均等量流通している希釈水に注入混合され、酸の混合された希釈水が事前に設定されている単位時間当たりの設定量で希釈水搬送管２０を均等量流通し、その希釈水搬送管２０に、制御装置４０により算出された単位時間あたりの所定注入量の次亜塩素酸ナトリウムが注入混合されることで次亜塩素酸ナトリウム希釈水溶液が生成され、生成された次亜塩素酸ナトリウム希釈水溶液は処理対象水に注入される。
【００２９】
次亜塩素酸ナトリウム希釈水溶液が注入された後、消毒又は酸化の効果目標値に対する調整が必要とされる場合の処理対象水については、計装機器５０により流量・水質等が計測され、その計測値が制御装置４０に送付される。一方、次亜塩素酸ナトリウム希釈水溶液が注入される前の処理対象水について、計装機器５０にて計測された流量・水質等の計測値は、制御装置４０に送付されている。制御装置４０は、次亜塩素酸ナトリウム希釈水溶液が注入された後の処理対象水の計測値、及び次亜塩素酸ナトリウム希釈水溶液が注入される前の処理対象水の計測値を基に、次亜塩素酸ナトリウムの所定注入量と酸の算出必要量を算出する。従って、この場合には順次繰り返し行われることになる。
【００３０】
尚、次亜塩素酸ナトリウム所定注入量と酸の算出必要量を制御する方法としては、次亜塩素酸ナトリウム希釈水溶液が注入される前の処理対象水を計測して制御する方法、次亜塩素酸ナトリウム希釈水溶液が注入された後の処理対象水を計測して制御する方法、次亜塩素酸ナトリウム希釈水溶液が注入される前の処理対象水と次亜塩素酸ナトリウム希釈水溶液が注入された後の処理対象水の両方を計測して制御する方法があり、処理対象水の水質、及び処理対象水に対する消毒又は酸化の効果目標値に対する許容レベル等を考慮し、いずれの方法で制御するか任意に選定する。
【００３１】
尚、図２に示す通り、上述のｐＨ値で酸の注入量を算出する場合、ｐＨ９．６以下であるとスケール析出率は１０％以下となるが、ｐＨ９．３以下にするとスケール析出率は５％以下となるので、より好ましくは、次亜塩素酸ナトリウム希釈水溶液のｐＨ値がｐＨ９．３以下となるように注入する酸の算出必要量を算出するのが好適である。尚、ｐＨ値を小さくするとスケール析出率は漸次低下するが、酸の使用量の減少及び塩素ガスの発生の危険性の減少を考慮すると、ｐＨ値は、ｐＨ７以上とすることが好ましい。
【００３２】
また、同じく図２に示す通り、ランゲリア指数で酸の注入量を算出する場合、指数２．２以下であるとスケール析出率は１０％以下となるが、指数１．８以下にするとスケール析出率は５％以下となるので、より好ましくは、次亜塩素酸ナトリウム希釈水溶液のランゲリア指数が指数１．８以下となるように注入する酸の算出必要量を算出するのが好適である。尚、ランゲリア指数を小さくするとスケール析出率は漸次低下するが、酸の使用量の減少及び塩素ガスの発生の危険性の減少を考慮すると、ランゲリア指数は、指数０以上とすることが好ましい。
【００３３】
以上の通り、次亜塩素酸ナトリウム希釈水溶液に注入混合される酸の必要量は、制御装置４０により算出された処理対象水の流量・水質等を計測する計装機器５０の計測値を基に処理対象水を消毒又は酸化するのに必要な次亜塩素酸ナトリウムの単位時間あたりの所定注入量、及びその次亜塩素酸ナトリウムに含有されているアルカリ成分を基に、制御装置４０により算出された算出必要量であるので、酸の過剰注入により次亜塩素酸ナトリウム希釈水溶液のｐＨ値が著しく低下し危険な塩素ガスが発生するのを防止することが可能となる。また酸の使用量を抑制することが可能となる。
【００３４】
更に、次亜塩素酸ナトリウム希釈水溶液に注入混合される酸の必要量は、制御装置４０により算出された処理対象水の流量・水質等を計測する計装機器５０の計測値を基に処理対象水を消毒又は酸化するのに必要な次亜塩素酸ナトリウムの単位時間あたりの所定注入量、及びその次亜塩素酸ナトリウムに含有されているアルカリ成分を基に、制御装置４０により算出された算出必要量であるので、次亜塩素酸ナトリウム希釈水溶液を計測するｐＨ計や電気伝導率計などの水質計器を不要にすることが可能となり、次亜塩素酸ナトリウム希釈搬送設備の設備建設費や維持管理費を安価にすることが可能になると共に、水質計器の校正など維持管理に掛かる手間を容易にすることが可能となる。
【００３５】
また、次亜塩素酸ナトリウム希釈水溶液に注入混合される酸の必要量は、制御装置４０により算出された処理対象水の流量・水質等を計測する計装機器５０の計測値を基に処理対象水を消毒又は酸化するのに必要な次亜塩素酸ナトリウムの単位時間あたりの所定注入量、及びその次亜塩素酸ナトリウムに含有されているアルカリ成分を基に、制御装置４０により算出された算出必要量であり、希釈水中のアルカリ成分に比較して次亜塩素酸ナトリウム中のアルカリ成分が占める割合のほうが遥かに大きいので、軟水・硬水と異なる希釈水の水質に合わせて酸の注入量を変更することが不要となり、水処理施設特有の現場ごとに異なる水質に合わせて酸の注入量を変更する煩雑な調整を不要とすることが可能となる。また、希釈倍率を考慮しないので、次亜塩素酸ナトリウムの所定注入量に対応して希釈水量をその都度変更することを不要とすることが可能となる。
【００３６】
また、次亜塩素酸ナトリウム希釈水溶液に混合される酸の注入量は、制御装置４０により算出された処理対象水の流量・水質等を計測する計装機器５０の計測値を基に処理対象水を消毒又は酸化するのに必要な次亜塩素酸ナトリウムの単位時間あたりの所定注入量、及びその次亜塩素酸ナトリウムに含有されているアルカリ成分を基に、次亜塩素酸ナトリウム希釈水溶液中にスケール生成が抑制される所定のｐＨ値若しくはランゲリア指数に調整するために必要とされる酸の単位時間当たりの算出必要量として制御装置４０により算出されるので、次亜塩素酸ナトリウム希釈水溶液の希釈倍率を下げてもスケール生成を抑制でき、希釈水供給設備を小型とすることが可能となり、次亜塩素酸ナトリウム希釈搬送設備の設備建設費や維持管理費を低減することが可能となる。
【００３７】
ｐＨ値およびランゲリア指数を調整するために注入する酸は、硫酸、塩酸、炭酸から選択することができるので、コストや水質、用途によって使用する酸を任意に選定することが可能となる。
【００３８】
実施例２：
図３は、本発明２に係る次亜塩素酸ナトリウム希釈水溶液の生成注入方法を示す概略説明図である。実施例１と同じ番号は同一の構成を示している。以下、実施例１と異なる点を主に説明する。
【００３９】
図中、１０は原液である次亜塩素酸ナトリウムを貯蔵する次亜塩素酸ナトリウム貯蔵槽である。原液の次亜塩素酸ナトリウムは、水圧により次亜塩素酸ナトリウム貯蔵槽１０から流出し、次亜塩素酸ナトリウム搬送管１１に設置されている注入制御装置１３で流量が調節されて後述するインゼクタ２３に流入する。
【００４０】
インゼクタ２３は、事前に設定されている単位時間当たりの設定量で均等に常時流入する酸の混合された浄水等の希釈水と、上述した次亜塩素酸ナトリウム貯蔵槽１０から流入する次亜塩素酸ナトリウムを減圧混合して次亜塩素酸ナトリウムを希釈し、次亜塩素酸ナトリウム希釈水溶液を生成する。
【００４１】
一例を以下に説明する。制御装置４０は、計装機器５０にて計測された処理対象水の計測値を受信する。制御装置４０は、受信した計測値を基に処理対象水を消毒又は酸化するのに必要な次亜塩素酸ナトリウムの単位時間あたりの所定注入量を算出すると共に、算出された単位時間当たりの次亜塩素酸ナトリウムの所定注入量と、その次亜塩素酸ナトリウムに含有されている既知のアルカリ成分とを基に、単位時間当たりの設定量の希釈水で希釈したとき、次亜塩素酸ナトリウム希釈溶液中にスケール生成が抑制されるレベルである次亜塩素酸ナトリウム希釈溶液のｐＨ値がｐＨ９．６以下となるように、若しくはランゲリア指数が指数２．２以下となるように、単位時間当たり注入する酸の算出必要量を算出する。制御装置４０により算出された単位時間当たり算出必要量の酸が、事前に設定されている単位時間当たりの設定量で均等量流通している希釈水に注入混合され、次いで、インゼクタ２３に流入した酸が混合された事前に設定されている単位時間当たりの設定量の希釈水と、制御装置４０により算出された単位時間あたりの所定注入量の次亜塩素酸ナトリウムとが減圧混合されて次亜塩素酸ナトリウム希釈水溶液が生成され、生成された次亜塩素酸ナトリウム希釈水溶液は処理対象水に注入される。
【００４２】
次亜塩素酸ナトリウム希釈水溶液が注入された後、消毒又は酸化の効果目標値に対する調整が必要とされる場合の処理対象水については、計装機器５０により流量・水質等が計測され、その計測値が制御装置４０に送付される。一方、次亜塩素酸ナトリウム希釈水溶液が注入される前の処理対象水について、計装機器５０にて計測された流量・水質等の計測値は、制御装置４０に送付されている。制御装置４０は、次亜塩素酸ナトリウム希釈水溶液が注入された後の処理対象水の計測値、及び次亜塩素酸ナトリウム希釈水溶液が注入される前の処理対象水の計測値を基に、次亜塩素酸ナトリウムの所定注入量と酸の算出必要量を算出する。従って、この場合には順次繰り返し行われることになる。
【００４３】
尚、上述の実施形態の説明において、希釈水に酸を注入混合した後、原液の次亜塩素酸ナトリウムを注入混合したが、逆に原液の次亜塩素酸ナトリウムを希釈水に注入混合後、酸を注入混合してもよいことは言うまでもない。
【符号の説明】
【００４４】
１０        次亜塩素酸ナトリウム貯蔵槽
１１        次亜塩素酸ナトリウム搬送管
１２        注入ポンプ 
１３        注入制御装置
２０        希釈水搬送管
２１，２２  注入点
２３        インゼクタ
３０        酸貯蔵槽
３１        酸搬送管
３２        酸注入ポンプ
４０        制御装置
５０        計装機器
【図１】
0005843600.tif 000002
【図２】
0005843600.tif 000003
【図３】
0005843600.tif 000004
【図４】
0005843600.tif 000005
【図５】
0005843600.tif 000006
【図６】
0005843600.tif 000007
【図７】
0005843600.tif 000008